(57)【要約】【課題】携帯電話機を脇の下に装着し得るように工夫して、使い勝手に優れ、携帯電話機の出し入れが迅速、容易に行えると共に身体動作の邪魔にもならず、スポーツ、運動時にも使用可能な、便利な携帯電話機の装身用具を提供することを目的とする。【解決手段】携帯電話機Ａを挿脱可能に収容し得る携帯電話機ケース１と、該携帯電話機ケース１を吊持して脇の下に位置させるよう保持し得るベルト部材７とからなることを特徴とするものであり、そして前記携帯電話機ケース１を薄型物入れケース４の外表面に固着一体化し、該薄型物入れケース４を前記ベルト部材７に吊持して、携帯電話機ケース１を薄型物入れケース４と一体的に脇の下に位置させるようにしてなる。【選択図】　　　　図３
0003097028.tif 000002
【実用新案登録請求の範囲】
【請求項１】
携帯電話機Ａを挿脱可能に収容し得る携帯電話機ケース１と、該携帯電話機ケース１を吊持して脇の下に位置させるよう保持し得るベルト部材７とからなることを特徴とする携帯電話機の装身用具。
【請求項２】
前記携帯電話機ケース１を薄型物入れケース４の外表面に固着一体化し、該薄型物入れケース４を前記ベルト部材７に吊持して、携帯電話機ケース１を薄型物入れケース４と一体的に脇の下に位置させるようにしてなる請求項１に記載の携帯電話機の装身用具。
【考案の詳細な説明】
【０００１】
【考案の属する技術分野】
本考案は、携帯電話機の装身用具に関するものである。
【０００２】
【従来の技術】
近年、携帯電話機が急速に普及し、携帯電話機を各人各様に携行している。例えば、ハンドバッグ、セカンドバッグ等のバッグ、カバンに入れたり、衣服のポケットに入れたり、更には、携帯電話機を出し入れ可能とする専用ケースをズボンの腰ベルトに掛通して腰部に装着する等しているのが一般である。
【０００３】
然しながら、バッグ、カバンに入れた場合、電話着信時に素早く取り出せなっかったり、呼び出し音、呼び出し振動に気付くのが遅れたりし易く、また、ポケットに入れた場合、出し入れ時に滑って落とし易いと共に衣服が携帯電話機の大きさ、重さに歪んだり、垂れ下がりたりして体裁の悪いものになり易い。また、ズボンの腰ベルトに装着した場合、身体動作の邪魔になって物にぶつけ易く、特にスポーツ、運動時には使用し難い等の欠点があって、携帯電話機は携行し難いという問題点があった。
【０００４】
【考案が解決しようとする課題】
本考案は、如上の問題点に鑑みてこれを解決すべく案出したものであって、携帯電話機を脇の下に装着し得るように工夫して、使い勝手に優れ、携帯電話機の出し入れが迅速、容易に行えると共に身体動作の邪魔にもならず、スポーツ、運動時にも使用可能な便利な携帯電話機の装身用具を提供することを目的とするものである。
【０００５】
【課題を解決するための手段】
上記目的を達成するための本考案の構成を実施の形態を用いて説明すると、本考案に係る携帯電話機の装身用具は、携帯電話機Ａを挿脱可能に収容し得る携帯電話機ケース１と、該携帯電話機ケース１を吊持して脇の下に位置させるよう保持し得るベルト部材７とからなることを最も主要な特徴とするものである。
【０００６】
前記携帯電話機ケース１を薄型物入れケース４の外表面に固着一体化し、該薄型物入れケース４を前記ベルト部材７に吊持して、携帯電話機ケース１を薄型物入れケース４と一体的に脇の下に位置させることができる。
【０００７】
【考案の実施の形態】
以下に、本考案の実施の形態を実施例に基づき図面を参照して説明する。
【０００８】
【実施例】
図面は本考案携帯電話機の装身用具の実施例を示すもので、図１は携帯電話機ケースを薄型物入れバッグに固着一体化した状態の正面図、図２は本考案携帯電話機の装身用具の全体を説明する説明図、図３は人体に装着した状態の前方側からの斜視図、図４は人体に装着した状態の後方側からの斜視図であって、１は携帯電話機ケース、２は抜け止めバンド、３は止着部材、４は薄型物入れケース、５は開閉蓋片、６は止着部材、７はベルト部材、８はループ状肩掛け部、９は横向きＵ字状肩掛け部、１０、１１は長さ調節具、Ａは携帯電話機である。
【０００９】
図１において、１は、携帯電話機Ａに適合する形状を有し、上端開口部から携帯電話機Ａを挿脱可能に収容し得る有底の携帯電話機ケースであって、上端開口部には収容した携帯電話機Ａが不用意に抜け出すことのないように抜け止めバンド２を設けている。該抜け止めバンド２の先端は、該携帯電話機ケース１の胴部に各々面状ファスナー、ホック等適宜の止着部材３を対設して開閉可能に設けている。
【００１０】
このようにしてなる携帯電話機ケース１は、ほぼ単庫本サイズからなる薄型の物入れケース４の外表面に縫着等により固着一体化されている。
【００１１】
該物入れケース４の上端開口部には開閉蓋片５を設けている。、該開閉蓋片５の先端は、物入れケース４の表面に各々面状ファスナー、ホック等適宜の止着部材６を対設して開閉可能に設けている。
【００１２】
該物入れケース４の背面には、側縁の開口にファスナーを付設する等してなる裏ポケットを適宜に設けることができる。
【００１３】
上記物入れケース４の内部には、札入れ、パスポート入れ、カード類入れ、名刺入れ、スペアキー入れ等を適宜に区設すると使い勝手に優れて便利である。
【００１４】
上記のようにして携帯電話機ケース１を固着一体化してなる物入れケース４を、図２、図３及び図４に示すように、ベルト部材７を用いて脇の下に位置させるように吊持して、人体に装着させる。
【００１５】
ベルト部材７は、ループ状の肩掛け部８と該肩掛け部８の横方向に一体的に延設した横Ｕ字状の肩掛け部９を有する。該ベルト部材７の素材は、伸縮性の有無を問わない。そして、両肩掛け部８、９には各々長さ調節具１０、１１を取り付けており、使用者の体型に合わせて長さを調節可能としている。
【００１６】
上記の構成において、ベルト部材７におけるループ状の肩掛け部８を使用者の左肩に掛けると共に横Ｕ字状の肩掛け部９を背中側に回して右肩に掛けると、図３及び図４に示すように携帯電話機ケース１を固着一体化してなる物入れケース４を左脇の下の位置に安定保持することができ、当該携帯電話機ケース１に収容した携帯電話機Ａを左脇の下に安定して装着することができる。
【００１７】
ベルト部材７と携帯電話機ケース１を固着一体化する物入れケース４とを左右入れ替えて対称に構成すれば、右脇の下に携帯電話機Ａを安定して装着することができ、左利きの使用者向きとすることができる。
【００１８】
このようにして携帯電話機Ａを脇の下に装着できると、携帯電話機Ａの出し入れがきわめて迅速、容易に行い得ると共に着信時の呼び出し音、呼び出し振動を素早く感知し易い。また、身体動作の邪魔にならず、スポーツ、運動も行うことができ、スリ防止にも役立つて、使い勝手に優れると共に体裁も良く、スーツ等の上着を着装した場合にも目立たず、衣服のくずれのおそれもないので、おしゃれを保つことができる。
【００１９】
【考案の効果】
本考案は、以上説明したようになり、次のような効果を奏することができる。
【００２０】
請求項１に記載の考案によって、携帯電話機を脇の下に装着し得るので、使い勝手に優れ、携帯電話機の出し入れが迅速、容易に行えると共に身体動作の邪魔にもならず、スポーツ、運動時にも使用可能で、スリ防止にも役立ち、きわめて便利である。
【００２１】
請求項２に記載の考案によって、携帯電話機Ａのみならず財布、貴重品入れ代わりの物入れケース４をも合わせて脇の下に装着することができ、一石二鳥に便利である。
【図面の簡単な説明】
【図１】本考案携帯電話機の装身用具の実施例を示す要部正面図である。
【図２】本考案携帯電話機の装身用具の実施例を示す全体説明図である。
【図３】人体に装着した状態の前方側からの斜視図である。
【図４】人体に装着した状態の後方側からの斜視図である。
【符号の説明】
１　　携帯電話機ケース
２　　抜け止めバンド
３　　止着部材
４　　薄型物入れ
５　　開閉蓋片
６　　止着部材
７　　ベルト部材
８　　ループ状肩掛け部
９　　横Ｕ字状肩掛け部
１０　　長さ調節具
１１　　長さ調節具
Ａ　　携帯電話機
【図１】
0003097028.tif 000003
【図２】
0003097028.tif 000004
【図３】
0003097028.tif 000005
【図４】
0003097028.tif 000006